(57)【特許請求の範囲】
【請求項１】
回路基板の一方の面側に回転つまみを配置し、回転つまみと回路基板の間に回転つまみの回転に応じて出力を変化する検出手段を設け、これら回路基板と回転つまみをケース内に収納し、ケースに設けた開口から前記回転つまみの外周のつまみ操作面を露出してなる回転式電子部品の防滴構造であって、
前記回転つまみには、前記ケースの開口からケース内部に浸入してきた液体の内、前記回転つまみの前記回路基板側の面を伝ってきた液体を、前記回路基板から離れる方向に導きながら下流に向かわせる液体ガイド部を設けたことを特徴とする回転式電子部品の防滴構造。
【請求項２】
請求項１に記載の回転式電子部品の防滴構造であって、
前記液体ガイド部は、下流方向に向かって回路基板から離れる方向に傾斜する傾斜面を具備することを特徴とする回転式電子部品の防滴構造。
【請求項３】
請求項２に記載の回転式電子部品の防滴構造であって、
前記液体ガイド部は、前記回転つまみの外周に沿う位置に設けられていることを特徴とする回転式電子部品の防滴構造。
【請求項４】
請求項３に記載の回転式電子部品の防滴構造であって、
前記液体ガイド部は、回転つまみの外周の最も下流の位置側から、左右両側に一対設けられていることを特徴とする回転式電子部品の防滴構造。
【請求項５】
請求項２乃至４の内の何れかに記載の回転式電子部品の防滴構造であって、
前記液体ガイド部はさらに、前記傾斜面の反対側の面を第２傾斜面とし、この第２傾斜面によって回転つまみのつまみ操作面を伝ってきた液体も、前記回路基板から離れる方向に導きながら下流に向かわせることを特徴とする回転式電子部品の防滴構造。
【請求項６】
請求項１乃至５の内の何れかに記載の回転式電子部品の防滴構造であって、
前記液体ガイド部の下流側端部には、流れてきた液体を集めて落とす突起状の液体収集部を設けたことを特徴とする回転式電子部品の防滴構造。
【請求項７】
請求項１乃至６の内の何れかに記載の回転式電子部品の防滴構造であって、
前記回転つまみの前記回路基板側の面には、前記検出手段を設置する検出手段設置部を設け、この検出手段設置部の周囲を囲む位置に、前記回路基板に当接することで検出手段設置部への水の浸入を防止する防水突部を設けたことを特徴とする回転式電子部品の防滴構造。
【発明の詳細な説明】
【技術分野】
【０００１】
本発明は、回転つまみとこの回転つまみを露出させるケースの開口との隙間からケース内に浸入する液体が、ケース内に設置された電気的機能部などに浸入するのを防止する回転式電子部品の防滴構造に関するものである。
【背景技術】
【０００２】
従来、回転式電子部品の中には、例えば特許文献１に示すように、回転式電子部品（１）の回転つまみ（３０）の外周部分の一部をケース（１００，１０）に設けた開口（１０５）から外部に露出し、回転つまみ（３０）の前記開口（１０５）から露出した部分を指などで回転操作することで、ケース（１００，１０）内の図示しない電気的機能部を駆動し、その検出出力を変化させる構造のものがある。
【０００３】
そして前記開口（１０５）と回転つまみ（３０）の間の隙間から浸入する液体が前記電気的機能部に付着しないように、前記開口（１０５）と回転つまみ（３０）の間の隙間を塞ぐゴム状防滴板（６０）を設置している。
【先行技術文献】
【特許文献】
【０００４】
【特許文献１】特開２０１１−１３４５７３号公報
【発明の概要】
【発明が解決しようとする課題】
【０００５】
しかしながら、上記従来の回転式電子部品（１）の防滴構造では、ゴム状防滴板（６０）を設置しなければならないので、部品点数が増加して製造コストが増加するばかりか組立工程が煩雑になる。またゴム状防滴板（６０）が回転つまみ（３０）に当接するので回転つまみ（３０）の回転動作に抵抗を生じ、回転つまみ（３０）のスムーズな操作が阻害される恐れがある。さらに上記のようなゴム状防滴板（６０）を取り付けても、一部の水はこのゴム状防滴板（６０）を通り抜けてケース（１００）内部に入り込み、一旦水が、ケース（１００）内に浸入してしまうと、これを防滴することができず、内部の摺動子、回路パターン、電子部品等の電気的機能部に、水が付着してしまう恐れがあった。
【０００６】
本発明は上述の点に鑑みてなされたものでありその目的は、効果的な防滴を行うことができ、また部品点数の削減が図れて製造コストを低減化できる回転式電子部品の防滴構造を提供することにある。
【課題を解決するための手段】
【０００７】
本発明は、回路基板の一方の面側に回転つまみを配置し、回転つまみと回路基板の間に回転つまみの回転に応じて出力を変化する検出手段を設け、これら回路基板と回転つまみをケース内に収納し、ケースに設けた開口から前記回転つまみの外周のつまみ操作面を露出してなる回転式電子部品の防滴構造であって、前記回転つまみに、前記ケースの開口からケース内部に浸入してきた液体の内、前記回転つまみの前記回路基板側の面を伝ってきた液体を、前記回路基板から離れる方向に導きながら下流に向かわせる液体ガイド部を設けたことを特徴としている。
回転つまみの回路基板側の面を伝ってきた液体を、液体ガイド部によって、回路基板から離れる方向に移動させながら下流側に落としていくので、この液体が回路基板に付着することを防止できる。これによって、回路基板上の検出手段やその他の回路パターン、電子部品等への水の付着を防止でき、効果的な防滴を図ることができる。
また回転つまみに、検出手段の出力を変化させる機能の他に上記防滴機能も併せ持たせたので、部品点数を増加しないで防滴することができる。
【０００８】
また本発明は、前記液体ガイド部が、下流方向に向かって回路基板から離れる方向に傾斜する傾斜面を具備することを特徴としている。
回転つまみに傾斜面を設けるという簡単な構成によって、効果的な防水を図ることができる。
【０００９】
また本発明は、前記液体ガイド部が、前記回転つまみの外周に沿う位置に設けられていることを特徴としている。
【００１０】
また本発明は、前記液体ガイド部が、回転つまみの外周の最も下流の位置側から、左右両側に一対設けられていることを特徴としている。
これによって、回転つまみの左右の何れの側から浸入した液体も液体ガイド部に導くことができ、防滴することができる。
【００１１】
また本発明は、前記液体ガイド部がさらに、前記傾斜面の反対側の面を第２傾斜面とし、この第２傾斜面によって回転つまみのつまみ操作面を伝ってきた液体も、前記回路基板から離れる方向に導きながら下流に向かわせることを特徴としている。
これによって、回転つまみのつまみ操作面を伝ってきた液体も、防滴することができる。
【００１２】
また本発明は、前記液体ガイド部の下流側端部に、流れてきた液体を集めて落とす突起状の液体収集部を設けたことを特徴としている。
これによって、液体ガイド部の下流側端部に流れてきた液体を容易に集めて回転つまみから落下させることができる。
【００１３】
また本発明は、前記回転つまみの前記回路基板側の面に、前記検出手段を設置する検出手段設置部を設け、この検出手段設置部の周囲を囲む位置に、前記回路基板に当接することで検出手段設置部への水の浸入を防止する防水突部を設けたことを特徴としている。
これによって、さらに検出手段への液体の浸入を防止できる。
【発明の効果】
【００１４】
本発明によれば、効果的な防滴を行うことができる。また部品点数を増加しないで防滴することができ、製造コストを低減化できる。
【図面の簡単な説明】
【００１５】
【図１】回転式電子部品１の斜視図である。
【図２】回転式電子部品１の概略断面図（図１のＡ−Ａ概略断面図）である。
【図３】回転式電子部品１（その一部の部品）の分解斜視図である。
【図４】回転式電子部品１（残りの部品）の分解斜視図である。
【図５】別の方向から見た回転式電子部品１（その一部の部品）の分解斜視図である。
【図６】別の方向から見た回転式電子部品１（残りの部品）の分解斜視図である。
【図７】回転つまみ１００の斜視図である。
【図８】回転つまみ１００の斜視図である。
【図９】回転つまみ１００の斜視図である。
【図１０】回転つまみ１００を第２ケース５０側から見た平面図である。
【図１１】回転つまみ１００周囲の水の流れを示す斜視図である。
【図１２】一部の部品を取り外して水の流れを示した回転式電子部品１の斜視図である。
【図１３】回転つまみ１００−２の斜視図である。
【図１４】回転つまみ１００−２の平面図である。
【発明を実施するための形態】
【００１６】
以下、本発明の実施形態を図面を参照して詳細に説明する。図１は本発明の一実施形態を用いて構成された回転式電子部品１の斜視図、図２は回転式電子部品１の概略断面図（図１のＡ−Ａ概略断面図）、図３は回転式電子部品１（その一部の部品）の分解斜視図、図４は回転式電子部品１（残りの部品）の分解斜視図、図５は別の方向から見た回転式電子部品１（その一部の部品）の分解斜視図、図６は別の方向から見た回転式電子部品１（残りの部品）の分解斜視図である。これらの図に示すように回転式電子部品１は、第１，第２，第３ケース１０，５０，２５０内に回転式電子部品１を構成する各種部品を収納して構成されている。なお以下の説明において、「上」とは回転つまみ１００から第３ケース２５０の開口２５１を見る方向をいい、「下」とはその反対方向をいうものとする。なお、液体が重力によって流れていく方向を「下流」といい、これは「下」と略同一の意味で使用する。
【００１７】
図１〜図６に示すように回転式電子部品１は、第１ケース１０と第２ケース５０の間に、摺動子１４０を取り付けた回転つまみ１００と、回路基板１５０と、導光体２００とを収納し、さらに第１，第２ケース１０，５０の上方から第３ケース２５０を取り付けて構成されている。
【００１８】
第１ケース１０は合成樹脂の成形品であり、上方と第２ケース５０を向く側が解放された略矩形箱型に形成されている。第１ケース１０の中央壁１０ａの内面の上部には、第２ケース５０側に向けて突出する円柱形状の軸部１１が設けられ、また軸部１１の下側の内面上には円弧状のクリック係合部１３が形成されている。軸部１１の先端側の中央には、ビス挿通孔１７が形成され、軸部１１の根元側の中央にはビス挿入穴１５が形成され、両者は軸部１１内部で連通している。ビス挿通孔１７はビス挿入穴１５よりも内径寸法が小さく、両者の接続部分には段差が生じている。第１ケース１０の下部側壁１０ｂには、複数本の端子２１がインサート成形によって取り付けられている。各端子２１はＬ字状に折り曲げられ、一方の端部が下面から下方に向けて一列に突出し、他方の端部が第２ケース５０側に向けて一列に突出している。一方第１ケース１０の左右両側壁１０ｃ，１０ｄの下方の位置には、第２ケース係止孔２３が貫通して形成されている。
【００１９】
第１ケース１０の中央壁１０ａの中央より少し下方の位置には、略矩形状の排水口２５が貫通して設けられ、また排水口２５の側部にも、略矩形状の排水口２７が貫通して設けられている。両排水口２５，２７の内面側には、溝状の導出路２９，３１が形成されており、それらの下面は、排水口２５，２７の下辺から第２ケース５０側に向かって斜め上方に向かう傾斜面となっている。さらに第１ケース１０の両側壁１０ｃ，１０ｄの所望の位置にも略矩形状の排水口３３が形成されている。
【００２０】
第２ケース５０は合成樹脂の成形品であり、上方と第１ケース１０を向く側が解放された略矩形箱型に形成されている。第２ケース５０の左右両側壁５０ｃ，５０ｄの前記第１ケース１０の各第２ケース係止孔２３に対向する位置には、第１ケース１０側に向かって突出する係止爪５１が形成されている。第２ケース５０の左右両側壁５０ｃ，５０ｄの上方の開口に近い位置には、小突起爪状の第３ケース係止部５３が形成されている。
【００２１】
図７〜図９は回転つまみ１００を夫々別の角度から見た斜視図、図１０は回転つまみ１００を第２ケース５０側から見た平面図である。図２，図３，図５，図７〜図１０に示すように、回転つまみ１００は合成樹脂を略円板状に成形した成形品であり、その外周面の上側部分（約半周）をつまみ操作面１０５としている。つまみ操作面１０５の内側には略円弧状の溝１１７が形成されており、これによって前記つまみ操作面１０５を設けた側壁部１０３と、中央に設けた中央部１０１とを形成している。
【００２２】
中央部１０１は前記溝１１７の底面から第２ケース５０側に向けて突出する円形の柱状に形成されており、その中央、即ち回転つまみ１００の中央には貫通する軸支孔１０９が形成されている。軸支孔１０９内部には内側にリング状に張り出す係止部１１１が形成されている。中央部１０１の第２ケース５０側の面は検出手段設置部（以下「摺動子取付面」という）１１３となっており、この摺動子取付面１１３には３つの小突起状の係止部１１５が設けられている。この摺動子取付面１１３の周囲（全周）を囲む位置には、回路基板１５０に当接することで摺動子取付面１１３への水の浸入を防止するリング状の防水突部１１４が設けられている。また回転つまみ１００の第１ケース１０側の面には、円形の凹部からなるクリック部材挿入穴１１９が形成されている。また図２に示すように、つまみ操作面１０５を設けた側壁部１０３内の所定位置には、透明（又は乳白色等の半透明）な導光体１２１が例えば二材成形によって取り付けられ、その照明部分１２３が側壁部１０３を貫通してつまみ操作面１０５に露出している。
【００２３】
また回転つまみ１００の側壁部１０３のつまみ操作面１０５の両端近傍部分から下流側には、一対の液体ガイド部１２５が設けられている。言い換えれば、回転つまみ１００の最も下流の位置側から、左右両側に向けて、一対の液体ガイド部１２５が設けられている。液体ガイド部１２５は回転つまみ１００の外周に沿う位置（側壁部１０３の下側部分）に、側壁部１０３の一部として設けられている。液体ガイド部１２５は、この例では傾斜面を前後（第１ケース１０と第２ケース５０側）に階段状に屈曲させながら、全体としては下流方向に向かって回路基板１５０から離れる方向に傾斜する傾斜面を具備して構成されている。この傾斜面は液体ガイド部１２５の両面に形成されており、第２ケース５０側を向く傾斜面を第１傾斜面（または単に「傾斜面」）１２７、第１ケース１０側を向く傾斜面を第２傾斜面１２９としている。両液体ガイド部１２５の上端部同士は、円弧形状の連結部１２６によって連結されている。連結部１２６は、側壁部１０３の外周のつまみ操作面１０５よりも第２ケース５０側で半径方向外方に突出して設けられており、これによってつまみ操作面１０５と連結部１２６の間に溝１２８を形成している。
【００２４】
また液体ガイド部１２５の下流側端部（図示の中立位置にある回転つまみ１００の下端部、又は両液体ガイド部１２５間の中間位置）には、流れてきた液体を集めて落とす半球面状の突起からなる液体収集部１３１が設けられている。
【００２５】
さらに中央部１０１の下部には、この中央部１０１の外周面に接続して下方に延びる防滴部１３３が設けられている。防滴部１３３は溝１１７の底面から突出する柱状の支持部１３５と、支持部１３５の第２ケース５０側の先端から左右に略平板状に突出して張り出す一対の防滴板１３７とを具備して構成されている。
【００２６】
摺動子１４０は弾性金属板をリング状に形成し、等間隔に複数（３つ）の摺動冊子１４１を設け、また各摺動冊子１４１の根元部分に小孔からなる取付部１４３を設けて構成されている。
【００２７】
回路基板１５０は硬質基板１５１の両面に回路パターン（説明に必要なもの以外は記載を省略している）を形成して構成されている。回路基板１５０の第１ケース１０側の面の上部には、円弧状の３本の摺接パターン１５３をリング状に形成している。摺接パターン１５３は回転つまみ１００の回転中心軸を中心としてこれを囲むリング状に配置される。３本の摺接パターン１５３は、それぞれコモンパターンとスイッチパターンと抵抗体パターンで構成されている。なお摺接パターン１５３の種類や形状等に種々の変更が可能であることは言うまでもない。
【００２８】
回路基板１５０の第２ケース５０側の面の中央付近には、複数の電子部品１５５（１５５ａ，ｂ，ｃ，ｄ，ｅ）が取り付けられている。各電子部品１５５ａ〜ｅはチップ型の電子部品であり、その内の電子部品１５５ａは発光素子である。他の電子部品１５５ｂ〜ｅは例えば固定抵抗器やコンデンサやダイオードや半導体素子などである。回路基板１５０の下辺近傍には、複数１列に並ぶ小孔からなる端子取付孔１５７が形成されており、第２ケース５０側の面の各端子取付孔１５７の周囲には半田付け用のランド部１５９が形成されている。
【００２９】
導光体２００は透明（又は半透明）な合成樹脂の成形品であり、例えば透明なアクリル樹脂、透明なポリカーボネート樹脂などによって構成されている。導光体２００は回路基板１５０側の面を解放した略箱型に形成され、その外周側壁２０１の内周面根元部分に、外周側壁２０１にほぼ沿うように全周にわたって当接部２０３を設けている。当接部２０３は、回路基板１５０の電子部品１５５を取り付けた側の面の全周を囲む回路基板面に当接する形状に形成されている。このため導光体２００に回路基板１５０を装着した際は、回路基板１５０は導光体２００の当接部２０３上に当接して支えられ、その外周は外周側壁２０１に囲まれる。言い換えれば、導光体２００は、回路基板１５０の一方の面上の電子部品１５５を覆う構造に構成されている。導光体２００の上部の外周側壁２０１からは、照光部２０５が突出している。照光部２０５は略円弧板状であり、前記回転つまみ１００の溝１１７に挿入される寸法に形成されている。
【００３０】
第３ケース２５０は合成樹脂の成形品であり、下方が解放された略矩形箱型に形成されている。第３ケース２５０の上面の中央付近には横長の略矩形状の開口２５１が形成されており、また開口２５１に隣接する位置には、横長の略矩形状の導光孔２５３が形成されている。また第３ケース２５０の左右両側壁には、前記第２ケース５０の各第３ケース係止部５３に係止される小孔からなる係止部２５５が形成されている。また導光孔２５３の側部には、所望の形状の表示部２５７が設けられている。表示部２５７は透明（又は半透明）であって裏面側を照明することで表面側に照らし出される。表示部２５７は例えば第３ケース２５０を透明な合成樹脂で構成し、その表面に不透明な塗料を塗布した後、表示部２５７の部分の塗料をレーザーなどによって除去して構成したり、いわゆる二材成形によって構成したりすればよい。第３ケース２５０にはその内部に下方から導光部材２６０が挿入されて取り付けられる。導光部材２６０は透明（又は半透明）な合成樹脂を横長の略矩形平板状に成形して構成されており、第３ケース２５０側を向く面には前記導光孔２５３に略ぴったり挿入される形状の挿入部２６１を突設している。
【００３１】
回転式電子部品１を組み立てるには、まず予め、回転つまみ１００の摺動子取付面１１３に摺動子１４０を当接し、その際回転つまみ１００の各係止部１１５を摺動子１４０の各取付部１４３に挿入し、各係止部１１５の先端を熱カシメすることで取り付けておく。
【００３２】
そして回転つまみ１００のクリック部材挿入穴１１９にコイルばね２７０とクリック用ボール２７１とを挿入した状態で、第１ケース１０内に回転つまみ１００を挿入し、第１ケース１０の軸部１１を回転つまみ１００の軸支部１０９内に回動自在に挿入する。そして、軸部１１の先端及び回転つまみ１００の係止部１１１の上にリング状の抜け止め板２８０を載せ、一方第１ケース１０のビス挿入穴１５にその外側からビス２９０を挿入し、ビス２９０の頭部２９１をビス挿入穴１５の底面に当接すると同時に、ビス２９０の先端側部分２９３をビス挿通孔１７に挿入して抜け止め板２８０中央の挿通孔２８１に挿通し、その先端をかしめ、これによって回転つまみ１００を第１ケース１０に回動自在に取り付ける。このときクリック用ボール２７１は第１ケース１０のクリック係合部１３に弾接する。
【００３３】
次に第１ケース１０内に回路基板１５０を収納して取り付ける。このとき、回転つまみ１００に取り付けた摺動子１４０の摺動冊子１４１が、回路基板１５０の摺接パターン１５３に弾接する。これら摺動子１４０と摺接パターン１５３が検出手段を構成する。同時にこのとき第１ケース１０にインサート成形された複数本の端子２１の第２ケース５０側を向く各端部が回路基板１５０の各端子取付孔１５７に挿入されてその反対面側から突出する。そして突出した各端子２１の端部とランド部１５９間を半田３００（図２参照）によって半田付けする。
【００３４】
次に第１ケース１０内に、導光体２００を収納して取り付ける。このとき前述のように、導光体２００は回路基板１５０の全周を覆う。またこのとき、導光体２００の照光部２０５は、回転つまみ１００の溝１１７内に挿入され、つまみ操作面１０５の背面側に位置する。
【００３５】
次に前記第１ケース１０の回路基板１５０等を取り付けた側に第２ケース５０を被せ、第２ケース５０の各係止爪５１を第１ケース１０の各第２ケース係止孔２３にスナップイン形式で係合し、これによって第１，第２ケース１０，５０を一体化する。
【００３６】
次に導光部材２６０を第３ケース２５０の下側から挿入して、導光部材２６０の挿入部２６１を第３ケース２５０の導光孔２５３に挿入した状態で、この第３ケース２５０を第１，第２ケース１０，５０の上部に被せて挿入し、第２ケース５０の各第３ケース係止部５３を第３ケース２５０の各係止部２５５にスナップイン形式で係止し、これによって第１，第２，第３ケース１０，５，２５０（これらを合わせて「ケース」という）を一体化する。このとき回転つまみ１００のつまみ操作面１０５の一部は第３ケース２５０の開口２５１から露出する。これによって回転式電子部品１が完成する。なお上記組立手順はその一例であり、他の各種異なる組立手順を用いて組み立てても良いことはいうまでもない。
【００３７】
以上のようにして組み立てられた回転式電子部品１において、開口２５１に露出するつまみ操作面１０５を指等で操作することで回転つまみ１００を回転すると、摺動子１４０の摺動冊子１４１が回路基板１５０の摺接パターン１５３上を摺動し、その検出出力が変化する。同時にクリック用ボール２７１が第１ケース１０のクリック係合部１３の凹凸に係合・離脱することでクリック感触を生じる。
【００３８】
一方発光素子１５５ａを点灯すると、その光は導光体２００に入射した後、照光部２０５に導かれ、これによって第３ケース２５０（その開口２５１の周囲）と回転つまみ１００のつまみ操作面１０５とをその背面側から照明して、第３ケース２５０の表示部２５７と、導光部材２６０の挿入部２６１と、回転つまみ１００の照明部分１２３とを明るく照らし出す。
【００３９】
そして第３ケース２５０の上部から水（液体）がかかった場合（例えばコップが倒れてその中の水全部がこぼれた場合）、図１に示すように、水は、第３ケース２５０の開口２５１と回転つまみ１００のつまみ操作面１０５の間の隙間からケース内に浸入する。即ち水は、回転つまみ１００のつまみ操作面１０５の回転方向の両側（図１の矢印ａ１，ａ２）と、回転つまみ１００の厚み方向の両側（図１の矢印ａ３，ａ４）から浸入する。
【００４０】
そして、ケース内に浸入した水の内、つまみ操作面１０５を伝って流れる水は、図１１の矢印Ａ１で示すように、つまみ操作面１０５の端部から液体ガイド部１２５の第２傾斜面１２９上に落ち、第２傾斜面１２９上を伝って回路基板１５０から離れながら下降し、回転つまみ１００の下端部にある液体収集部１３１に導かれる。液体収集部１３１は突起状なので、流れてきた水を容易に集めて水滴とし、回転つまみ１００から落下させることができる。回転つまみ１００から落下した水は、図１２の矢印Ａ８（Ａ９）に示すように、第１ケース１０の導出路２９（回転つまみ１００の回転位置によっては導出路３１）に落ち、排水口２５（又は排水口２７）からケース外部に排出される。
【００４１】
また図１１の矢印Ａ２で示すように、つまみ操作面１０５の外周から第２ケース５０側の溝１２８に落ちる等した水は、溝１２８内を下流側に移動して行き、液体ガイド部１２５の第２傾斜面１２９上を伝って回路基板１５０から離れながら下降し、液体収集部１３１に導かれる。
【００４２】
また、図１１の矢印Ａ３で示すように、つまみ操作面１０５の外周から第２ケース５０側の溝１２８に落ち、更にこの溝１２８を乗り越える等して連結部１２６の第２ケース５０側の面を伝う水は、連結部１２６の第２ケース５０側の面をそのまま伝ってゆき、液体ガイド部１２５の第１傾斜面１２７上に移動してこの第１傾斜面１２７上を伝って回路基板１５０から離れながら下降し、液体収集部１３１に導かれる。
【００４３】
また図１１の矢印Ａ４で示すように、つまみ操作面１０５の外周から第２ケース５０側の溝１２８に落ち、更にこの溝１２８を乗り越える等して連結部１２６の外周面を伝う水は、連結部１２６と液体ガイド部１２５の外周面をそのまま伝ってゆき（またはその後、液体ガイド部１２５の第１傾斜面１２７又は第２傾斜面１２９側に移動してこれらの面を伝ってゆき）、回路基板１５０から離れながら下降し、液体収集部１３１に導かれる。
【００４４】
さらに図９の矢印Ａ５で示すように、つまみ操作面１０５の外周から第２ケース５０側の溝１２８に落ち、更にこの溝１２８と連結部１２６を乗り越える等して側壁部１０３の内周面を下流に向かって伝う水は、第１傾斜面１２７に至ったところでこの第１傾斜面１２７上に移動してこの第１傾斜面１２７上を伝って回路基板１５０から離れながら下降し、液体収集部１３１に導かれる。
【００４５】
また図９の矢印Ａ６で示すように、側壁部１０３の内周面から溝１１７の底面と中央部１０１の外周面を伝う等してそれらの面を下降してゆく水が、それらの下部において回路基板１５０側に移動しようとした場合は、防滴板１３７が壁となってこれを阻止し、支持部１３５の外周面から液体収集部１３１に導かれる。
【００４６】
さらにこの回転式電子部品１においては、回転つまみ１００の摺動子取付面１１３の周囲を囲む位置に設けた防水突部１１４を、図２に示すように、回路基板１５０の表面に当接するようにしている。このため、溝１１７の底面から中央部１０１の外周面を越えて摺動子取付面１１３に浸入しようとする水はこの防水突部１１４によって阻止される。
【００４７】
なお図８の矢印Ａ７で示すように、つまみ操作面１０５の外周等から第１ケース１０側の面に落ちた水は、そのままこの面上を下流側に移動して行き、液体収集部１３１に導かれる。
【００４８】
なお上記説明では、回転つまみ１００が中立位置（回転方向の中間位置）にあるときについて説明したので、左右の両液体ガイド部１２５は検出手段の左右両側部から下方に位置し、このため検出手段から水を遠ざける効果は少ないように見える。しかし、回転つまみ１００は、図３，図５に示す第１ケース１０のストッパ用凸部３５が、図３に示す回転つまみ１００の円弧状のストッパ用凹部１３９に挿入されることで、所定角度範囲（この例では約６０°）の回動が可能となっており、このため例えば中間位置から最も回動した位置では、液体ガイド部１２５が検出手段の斜め上方に位置し、そのような場合は検出手段を効果的に防滴する。
【００４９】
以上のように、回転つまみ１００を伝って下流側に流れていく水は、液体ガイド部１２５によって回路基板１５０から離れる方向に移動された後、液体収集部１３１から下方に落とされる。このため前記水が摺動子１４０や回路基板１５０に付着することを防止できる。これによって、検出手段（摺動子１４０と摺接パターン１５３）や、回路基板１５０上の図示しない各種回路パターンや電子備品への水の付着による悪影響を防止できる。さらに言えば、回転つまみ１００に、検出手段の出力を変化させる機能の他に上記防滴機能も併せ持たせたので、部品点数を増加しないで防滴することが可能となる。さらにこの防滴機構は、回転つまみ１００に第１，第２傾斜面１２７，１２９を設けるという簡単な構成によって効果的な防滴を行うことができる。またさらに防水突部１１４によっても検出手段の防滴が図られる。
【００５０】
特にこの回転式電子部品１では、液体ガイド部１２５を、中間位置にある回転つまみ１００の外周の最も下流の位置側から左右両側に一対設けているので、回転つまみ１００の左右何れの側から浸入した水も液体ガイド部１２５に導くことができる。
【００５１】
なお回路基板１５０の電子部品１５５（１５５ａ〜ｅ）を搭載した面側に浸入しようとした水は、回路基板１５０の表面が導光体２００によって覆われているので、回路基板１５０の表面に浸入することはなく、導光体２００の外側表面を伝って流れてゆく。
【００５２】
ところで、回路基板１５０に形成する摺接パターンの形状に応じて、摺動子１４０を摺動子取付面１１３に取り付ける代りに、防滴部１３３の表面に摺動子を取り付ける場合もある。この場合、防滴部１３３が摺動子取付面（検出手段設置部）となる。その際、前記防水突起１１４をこの防滴部１３３の周囲に設けても良い。
【００５３】
図１３は本発明の他の実施形態に係る回転つまみ１００−２の斜視図（図９と同一方向から見た斜視図）、図１４は回転つまみ１００−２の平面図（図１０と同一方向から見た平面図）である。回転つまみ１００−２において、上記回転つまみ１００と相違する点は、液体収集部１３１の他に、それぞれの液体ガイド部１２５の下流側に別の液体収集部１３１−２，１３１−２を設け、さらに左右の液体収集部１３１−２，１３１−２と中央の液体収集部１３１との間（言い換えれば左右の液体ガイド部１２５と中央の支持部１３５との間）に下流側に切欠かれたスリット１３２を設けた点である。
【００５４】
回転つまみ１００−２をこのように構成すれば、回転つまみ１００−２を伝って流れてきた水が、３つの液体収集部１３１，１３１−２，１３１−２に分散されてそれぞれから排水できるので、排水効率がより高まる。この場合、第１ケース１０の両排水口２５，２７への排水の分散もより効果的に行える。
【００５５】
なお、スリット１３２は省略しても良い。また液体収集部１３１−２の半球面状の突起は別の形状でも良く、スリット１３２を設ける場合はこれを省略しても良い。
【００５６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では摺動子と摺接パターンによって検出手段を構成したが、他の各種構成の電気的機能部であっても良く、さらに例えば光学的検出手段や磁気的検出手段等であってもよく、要は回転つまみの回転に応じて出力を変化する検出手段であれば、どのような構成であっても良い。また上記例では第１，第２，第３ケースの３部品によってケースを構成したが、ケースは３部品以外の複数の部品または１部品で構成しても良い。また上記例では、摺動子取付面の周囲全周を囲むように防水突部を設けたが、必ずしも全周でなくても良い。
【００５７】
また上記例では、液体ガイド部として第１傾斜部（傾斜部）の他に第２傾斜部を設けて、回転つまみの回路基板側だけでなくその反対側の面を流れてきた液体も回路基板から離れる方向に導いたが、場合によっては液体ガイド部を第１傾斜部だけで構成しても良い。即ち液体ガイド部は、少なくとも、ケースの開口からケース内部に浸入してきた液体の内、回転つまみの回路基板側の面を伝ってきた液体を、回路基板から離れる方向に導きながら下流に向かわせる構造であればよい。
【００５８】
また上記例では第１，第２傾斜部を階段状の傾斜面としたが、平面状の滑らかな傾斜面としてもよく、さらに他の形状の傾斜面でも良いし、傾斜面以外の液体ガイド部であっても良い。要は、液体を回路基板から離れる方向に導きながら下流に向かわせる構造であればどのような構造であっても良い。また上記例では液体ガイド部（傾斜面）を、中立位置にある回転つまみの外周の最も下流の位置側から左右両側に一対設けたが、何れか一方の側のみに設けても良い。
【００５９】
また上記例では、回転式電子部品をそのケースの開口が真上方向を向くように設置したが、本発明はこれに限られず、斜め上方を向くように設置するなどしても良い。
【符号の説明】
【００６０】
１  回転式電子部品
１０  第１ケース（ケース）
５０  第２ケース（ケース）
１００  回転つまみ
１０３  側壁部
１０５  つまみ操作面
１１３  摺動子取付面（検出手段設置部）
１１４  防水突部
１２５  液体ガイド部
１２６  連結部
１２７  第１傾斜面（傾斜面）
１２９  第２傾斜面
１３１  液体収集部
１４０  摺動子（検出手段）
１５０  回路基板
１５３  摺接パターン（検出手段）
２００  導光体
２５０  第３ケース（ケース）
２５１  開口  
【図１】
0006025699.tif 000002
【図２】
0006025699.tif 000003
【図３】
0006025699.tif 000004
【図４】
0006025699.tif 000005
【図５】
0006025699.tif 000006
【図６】
0006025699.tif 000007
【図７】
0006025699.tif 000008
【図８】
0006025699.tif 000009
【図９】
0006025699.tif 000010
【図１０】
0006025699.tif 000011
【図１１】
0006025699.tif 000012
【図１２】
0006025699.tif 000013
【図１３】
0006025699.tif 000014
【図１４】
0006025699.tif 000015